(57)【特許請求の範囲】
【請求項１】
切替使用される少なくとも２つの受水槽と、これらの受水槽ごとに設けられた水位検出器と、上記受水槽の水位を監視する水位監視装置と、上記水位検出器の出力端子を切り替えて上記水位監視装置の入力端子へ接続する検出器切替装置とを備えた水位監視システムにおいて、
上記水位検出器が、受水槽内の水位の変化に基づいて、出力端子間が高インピーダンス状態へ変化する手段として構成され、
上記水位監視装置が、その入力端子間のインピーダンスを監視し、検出器切替装置により選択された受水槽内の水位を検知する手段として構成され、
上記検出器切替装置が、上記水位監視装置へ接続する水位検出器を、一方の水位検出器から他方の水位検出器へ切り替える際、まず、他方の水位検出器を接続し、その後、一方の検出器を切り離す手段として構成されることを特徴とする水位監視システム。
【請求項２】
請求項１に記載の水位監視システムにおいて、上記検出器切替装置は、上記の各水位検出器の出力端子を、リレー回路の制御接点を介して、上記水位監視装置の入力端子に並列に接続する構成とされ、
一方の水位検出器の出力端子が、並列に接続された第一及び第三の制御接点を介して、上記入力端子に接続され、
他方の水位検出器の出力端子が、並列に接続された第二及び第四の制御接点を介して、上記入力端子に接続され、
一方の水位検出器から他方の水位検出器へ切り替える際、第三及び第四の制御接点を閉成した後、第一の制御接点の開動作及び第二の制御接点の閉動作を行って、その後、第三及び第四の制御接点を開成させることを特徴とする水位監視システム。
【請求項３】
請求項１に記載の水位監視システムにおいて、上記検出器切替装置は、上記の各水位検出器の出力端子を、リレー回路の制御接点を介して、上記水位監視装置の入力端子に並列に接続する構成とされ、
一方の水位検出器の出力端子が、第一の制御接点を介して、上記入力端子に接続され、
他方の水位検出器の出力端子が、第二の制御接点を介して、上記入力端子に接続され、
一方の水位検出器から他方の水位検出器へ切り替える際、第二の制御接点を閉成した後、第一の制御接点を開動作させることを特徴とする水位監視システム。
【請求項４】
請求項１から３のいずれかに記載の水位監視システムにおいて、上記検出器切替装置が、水位検出器の切替状態を示す移報信号を出力する移報信号出力端子を備え、
上記検出器切替装置から遠隔装置へ水位検出器の切替状態を移報出力することを特徴とする水位監視システム。
【請求項５】
請求項１から３のいずれかに記載の水位監視システムにおいて、上記検出器切替装置が、水位検出器を切替制御する切替制御信号を入力するための切替信号入力端子を備え、
上記検出器切替装置の切替動作を遠隔装置から制御することを特徴とする水位監視システム。
【請求項６】
請求項５に記載の水位監視システムにおいて、上記検出器切替装置が、水位検出器の切替制御を手動により行う切替スイッチと、
上記切替スイッチによる制御、又は、上記切替制御替信号による制御のいずれかを選択する選択スイッチとを備え、
上記選択スイッチの出力に基づいて、切替制御信号による遠隔制御を停止させて、切替スイッチの手動操作により検出器切替装置の切替動作を制御することを特徴とする水位監視システム。
【請求項７】
請求項５に記載の水位監視システムにおいて、上記検出器切替装置が、水位検出器の切替制御を手動により行う切替スイッチを備え、
切替スイッチの手動操作と、遠隔装置からの切替制御信号とに基づいて、後優先により、上記検出器切替装置の切替動作を制御することを特徴とする水位監視システム。
【請求項８】
請求項５に記載の水位監視システムにおいて、上記遠隔装置が、交流電源及び切替制御信号を多重化して送出する手段として構成され、
上記検出器切替装置が、受信した上記多重化信号を電源成分と信号成分に分離する信号分離回路を備えて構成され、
交流電源及び切替制御信号を２線式信号線により、上記遠隔装置から検出器切替装置へ伝送することを特徴とする水位監視システム。
【発明の詳細な説明】
【０００１】
【発明の属する技術分野】
本発明は、ビル等に設けられる水位監視システムに係り、更に詳しくは、２以上の受水槽を切り替えて使用する給排水システム（給水システム、排水システム又はこれらの複合システム）において、切替選択された受水槽の水位を監視するシステムに関する。
【０００２】
【従来の技術】
公共の上水道では、３階以上のビル内に設けられている末端給水器具に給水する際に、圧力が不足する場合がある。このため、この様なビルにおいては、配水管から引き込んだ市水を一旦、受水槽に貯水して加圧ポンプで増圧し、末端給水器具に給水する給水システムや、配水管からの市水を受水槽に受け、これをビル最上部に設置した高架水槽に揚水ポンプにて汲み上げて貯水し、自然流下により各末端給水器具に給水する給水システムが採用される。
【０００３】
また、排水についても、雑排水や雨水等を区別して一旦、受水槽に受け、これを各受水槽用の排水ポンプにより汲み出して排水の種類により下水道等の公共排水路に排水する排水システムが採用されている。
この様な給排水システムにおいては、各水槽の水位を検出するため、各水槽ごとに水位検出器が設けられる。この水位検出器は、水槽内の浮き及びリミットスイッチ等により構成されるフロートスイッチや、水槽内の所定の位置に設けられた電極棒等により水槽内の水位を電気信号として検出するものである。
【０００４】
これらの電気信号は、電気的配線により接続された水位監視装置としての制御盤や警報盤等へ伝送される。この電気信号に基づいて、制御盤は、給排水ポンプの駆動制御や各配管の電磁弁の開閉制御を行い、また、警報盤は、満水や渇水等の警報を発報する。
【０００５】
【発明が解決しようとする課題】
ところが、受水槽、高架水槽等が、それぞれ単一の水槽として設置され、各水槽が常時使用されている給排水システムでは、水槽の清掃や点検を行う際には、断水する必要があり、水槽の安全衛生上の維持管理が煩雑であった。
このため、近年、受水槽、高架水槽等として、それぞれ複数の水槽が設置され、これらの水槽を切り替えて使用する切替水槽方式の給排水システムが提案されている。この様な給排水システムにおいては、常時、いずれか１つの水槽のみが使用され、同時に、他の水槽の清掃や保守点検を行うことができるため、清掃、点検時に断水する必要がなくなる。従って、このような水槽切替方式の給排水システムを採用すれば、各水槽の保守点検が容易に行うことができ、水槽における安全衛生の維持が容易となるという利点がある。
【０００６】
この様な水槽切替方式の給排水システムにおいては、複数設置されている水槽のうち、いずれか１つの水槽のみが常時使用されるため、複数の水位検出器からの出力信号を切り替え、使用中の水槽に対応した水位検出器の出力信号のみを上記水位監視装置へ伝送するための検出器切替装置が必要となる。
しかしながら、上記検出器切替装置を通常の３端子スイッチ等を用いて構成し、水位検出器の出力信号の切り替えを行った場合、一方の水槽から他方の水槽へ切り替えを行う際、いずれの水位検出器も水位監視装置へ接続されていない一時的な状態、即ち、瞬間的な断線状態が発生する。
【０００７】
従って、上記水位検出器が、出力端子間の断線状態（高インピーダンス状態）を利用して、検出結果を出力するものであれば、切替時の瞬間的な断線に基づいて、警報盤が、満水又は渇水が発生したものと誤判断して、警報の発報等の誤動作を起こすという問題があった。
このよう場合、作業者が検知器切替装置まで出向いて、接続状態の確認をする必要があるため煩雑である。特に、接続切替操作の誤り等により、システムに不具合が発生した場合、原因の特定に時間がかかるという問題があった。
【０００８】
本発明は、上記の事情に鑑みてなされたものであり、水位検出器の出力信号を切り替える際、一時的な断線が発生することを防止することを目的とする。
【０００９】
【課題を解決するための手段】
請求項１に記載した本発明による水位監視装置は、切替使用される少なくとも２つの受水槽と、これらの受水槽ごとに設けられた水位検出器と、受水槽の水位を監視する水位監視装置と、水位検出器の出力端子を切り替えて水位監視装置の入力端子へ接続する検出器切替装置とを備えた水位監視システムであって、水位検出器が、受水槽内の水位の変化に基づいて、出力端子間が高インピーダンス状態へ変化する手段として構成され、水位監視装置が、その入力端子間のインピーダンスを監視し、検出器切替装置により選択された受水槽内の水位を検知する手段として構成され、検出器切替装置が、水位監視装置へ接続する水位検出器を、一方の水位検出器から他方の水位検出器へ切り替える際、まず、他方の水位検出器を接続し、その後、一方の検出器を切り離す手段として構成される。
【００１０】
請求項２に記載した本発明による水位監視装置は、請求項１に記載の水位監視システムであって、検出器切替装置は、各水位検出器の出力端子を、リレー回路の制御接点を介して、水位監視装置の入力端子に並列に接続する構成とされ、一方の水位検出器の出力端子が、並列に接続された第一及び第三の制御接点を介して、入力端子に接続され、他方の水位検出器の出力端子が、並列に接続された第二及び第四の制御接点を介して、入力端子に接続され、一方の水位検出器から他方の水位検出器へ切り替える際、第三及び第四の制御接点を閉成した後、第一の制御接点の開動作及び第二の制御接点の閉動作を行って、その後、第三及び第四の制御接点を開成させる。
【００１１】
請求項３に記載した本発明による水位監視装置は、請求項１に記載の水位監視システムであって、検出器切替装置は、各水位検出器の出力端子を、リレー回路の制御接点を介して、水位監視装置の入力端子に並列に接続する構成とされ、一方の水位検出器の出力端子が、第一の制御接点を介して、入力端子に接続され、他方の水位検出器の出力端子が、第二の制御接点を介して、入力端子に接続され、一方の水位検出器から他方の水位検出器へ切り替える際、第二の制御接点を閉成した後、第一の制御接点を開動作させる。
【００１２】
請求項４に記載した本発明による水位監視装置は、請求項１から３のいずれかに記載の水位監視システムであって、検出器切替装置が、水位検出器の切替状態を示す移報信号を出力する移報信号出力端子を備え、検出器切替装置から遠隔装置へ水位検出器の切替状態を移報出力する構成とされる。
請求項５に記載した本発明による水位監視装置は、請求項１から３のいずれかに記載の水位監視システムであって、検出器切替装置が、水位検出器を切替制御する切替制御信号を入力するための切替信号入力端子を備え、検出器切替装置の切替動作を遠隔装置から制御する構成とされる。
【００１３】
ここで、請求項４及び５における遠隔装置とは、信号線を介して検出器切替装置に接続された装置を意味し、制御盤や警報盤はその一例であって、これらに限定されるものではない。
請求項６に記載した本発明による水位監視装置は、請求項５に記載の水位監視システムであって、検出器切替装置が、水位検出器の切替制御を手動により行う切替スイッチと、切替スイッチによる制御、又は、切替制御替信号による制御のいずれかを選択する選択スイッチとを備え、選択スイッチの出力に基づいて、切替制御信号による遠隔制御を停止させて、切替スイッチの手動操作により検出器切替装置の切替動作を制御する構成とされる。
【００１４】
請求項７に記載した本発明による水位監視装置は、請求項５に記載の水位監視システムにおいて、検出器切替装置が、水位検出器の切替制御を手動により行う切替スイッチを備え、切替スイッチの手動操作と、遠隔装置からの切替制御信号とに基づいて、後優先により、検出器切替装置の切替動作を制御する構成とされる。
【００１５】
請求項８に記載した本発明による水位監視装置は、請求項５に記載の水位監視システムであって、遠隔装置が、交流電源及び切替制御信号を多重化して送出する手段として構成され、検出器切替装置が、受信した多重化信号を電源成分と信号成分に分離する信号分離回路を備えて構成され、交流電源及び切替制御信号を２線式信号線により、遠隔装置から検出器切替装置へ伝送する構成とされる。
【００１６】
【発明の実施の形態】
図１８は、本発明が適用される水槽切替式の給排水システムの一構成例を示した図である。このシステムは、上水道から水を受水槽へ給水し、さらに、揚水ポンプを用いて高架水槽へ汲み上げる揚水システムである。
配水管５に設けられた電磁弁１２Ａ、１２Ｂを開くと、公共の上水道からの水が、配水管５を通って、ビル７内に設置された受水槽１０Ａ、１０Ｂへ供給される。受水槽１０Ａ、１０Ｂ内の水は、さらに、揚水ポンプ６０が設けられた給水管６を通って、ビル７の屋上に設置された高架水槽２０Ａ、２０Ｂへ汲み上げられ、高架水槽２０Ａ、２０Ｂからビル７内の各末端給水器具（不図示）へ供給される。
【００１７】
一対の受水槽１０Ａ、１０Ｂは、交互に切り替えられて使用され、一方の受水槽の使用時には、他方の受水槽が休止している。同様にして、一対の高架水槽２０Ａ、２０Ｂも交互に切り替えられて使用され、一方の高架水槽の使用時には、他方の高架水槽が休止している。
これらの各水槽１０Ａ、１０Ｂ、２０Ａ、２０Ｂは、それぞれ水位検出器１１Ａ、１１Ｂ、２１Ａ、２１Ｂを備えており、各水位検出器は、それぞれ水槽の水位を検出し、電気信号として出力する。この検出信号は、検出器切替装置３１、３２を介して、制御盤４へ伝送される。
【００１８】
検出器切替装置３１は、受水槽の水位検出器１１Ａ、１１Ｂからの検出信号を切り替えて、制御盤４へ出力する装置であり、使用中の受水槽からの検出信号を制御盤４へ出力する。同様にして、検出器切替装置３２は、高架水槽の水位検出器２１Ａ、２１Ｂからの検出信号を切り替えて、制御盤４へ出力する装置であり、使用中の高架水槽からの検出信号を制御盤４へ出力する。
【００１９】
制御盤４は、使用中の受水槽、高架水槽の水位に基づいて、電磁弁１２Ａ、１２Ｂ等の開閉や、揚水ポンプ６０の駆動等を制御する。また、使用中の受水槽、高架水槽の水位が、渇水等の異常状態となれば、異常水位であることを発報する。
図１９は、図１８に示した水位検出器１１Ａ、１１Ｂ、２１Ａ、２１Ｂを説明するための図であり、水槽１０、水位検出器１１及び電磁弁１２を備えた配水管５が示されている。この水位検出器１１は、水槽１０内の取り付け深度が異なる４つの電極棒１１０〜１１３により構成され、電極棒１１０〜１１３間のインピーダンスにより、水位を検出する。
【００２０】
各電極棒１１０〜１１３は、浅い位置に設置されるものから順に電磁弁閉用電極棒１１０、電磁弁開用電極棒１１１、渇水検出用電極棒１１２、アース用電極棒１１３である。水槽１０内の水位が、電極棒１１０の取付深度Ｄ０以上であれば、制御盤４が電磁弁１２を閉制御して、配水管５から供給を停止する。一方、水槽１０内の水位が、電極棒１１１の取付深度Ｄ１未満であれば、制御盤４が電磁弁１２を開制御して、配水管５から供給を開始する。また、電極棒１１２の取付深度Ｄ２未満であれば、制御盤４が渇水警報を発報する。
【００２１】
図２０は、図１８に示した水位検出器１１Ａ、１１Ｂ、２１Ａ、２１Ｂと、検出器切替装置３１、３２と、制御盤４との関係を示した図である。
受水槽の水位検出器１１Ａ、１１Ｂの各電極棒は、検出器切替装置３１に接続され、使用中の受水槽に対応した電極棒のみが、検出切替装置３１内において制御盤４と切替接続される。同様にして、高架水槽の水位検出器２１Ａ、２１Ｂの各電極棒は、検出器切替装置３２に接続され、使用中の高架水槽に対応した電極棒のみが、検出切替装置３２内において制御盤４と切替接続される。これらの検出器切替装置３１、３２の切替制御は、制御盤４からの切替信号に基づいて行われる。
【００２２】
図１から３は、請求項１及び２に記載した本発明による水位監視システムを説明するための図である。図２は、図１８に示した検出器切替装置３１、３２の外観構成の一例を示した図であり、検出器切替装置３１の場合について、以下に説明する（以下に示す他の実施例においても同様である）。
この検出器切替装置は、切替スイッチＳＷ１、ＳＷ２と、検出信号を入力する２組の入力端子Ｔａ１〜Ｔａ４、Ｔｂ１〜Ｔｂ４と、検出信号を出力する１組の出力端子Ｔｃ１〜Ｔｃ４と、交流電源の供給端子Ｔｒ、Ｔｓとを備えて構成される。
【００２３】
入力端子Ｔａ１〜Ｔａ４は、切替使用される２つの水槽のうち、一方の水槽の水位検出器１１Ａに接続され、入力端子Ｔｂ１〜Ｔｂ４は、他方の水槽の水位検出器１１Ｂに接続され、出力端子Ｔｃ１〜Ｔｃ４は、制御盤４に接続される。また、電源端子Ｔｒ、Ｔｓも、制御盤４に接続されて、制御盤４から電源が供給される。
【００２４】
切替スイッチＳＷ１、ＳＷ２は、ともに復帰型の押釦スイッチであり、検出器切替装置内において出力端子Ｔｃ１〜Ｔｃ４へ接続される入力端子が、切替スイッチＳＷ１を押下すれば、水槽１０Ａ側の水位検出器１１Ａへ切り替わり、切替スイッチＳＷ２を押下すれば水槽１０Ｂ側の水位検出器１１Ｂへ切り替わる。
切替表示手段ＬＥＤ１、ＬＥＤ２は、出力端子Ｔｃ１〜Ｔｃ４に接続されている入力端子が、水槽１０Ａ側（Ｔａ１〜Ｔａ４）であるのか、或は、水槽１０Ｂ側（Ｔｂ１〜Ｔｂ４）であるのかを表示する手段であり、発光ダイオード等の点灯手段により構成することができる。
【００２５】
図１は、この検出器切替装置の回路の一構成例を示した図であり、切替部と、制御部により構成される。
切替部は、出力端子Ｔｃ１〜Ｔｃ４を入力端子Ｔａ１〜Ｔａ４又はＴｂ１〜Ｔｂ４に切替接続する回路である。この図では、接続端子Ｔａ１、Ｔｂ１及びＴｃ１についての回路のみが例示されている。省略された他の接続端子についても全く同様に構成することができる（図６を除き、以下に示す他の実施例においても同様である）。
【００２６】
各切替部は、それぞれリレー回路の制御接点を４つ備え、これらの制御接点を介して、入力端子Ｔａ１、Ｔｂ２が並列となるように、出力端子Ｔｃ１に接続されている。即ち、入力端子Ｔａ１は、並列接続された制御接点Ｘ１ａ、Ｘ３ａを介してＴｃ１に接続され、入力端子Ｔｂ１は、並列接続された制御接点Ｘ２ａ、Ｘ３ｂを介してＴｃ１に接続されている。
【００２７】
従って、制御接点Ｘ１ａの閉成により、入力端子Ｔａ１が出力端子Ｔｃ１に接続され、制御接点Ｘ２ａの閉成により、入力端子Ｔｂ１が出力端子Ｔｃ１に接続され、制御接点Ｘ３ａ、Ｘ３ｂの閉成により、入力端子Ｔａ１、Ｔｂ１が出力端子Ｔｃ１に並列に接続される。なお。制御接点Ｘ１ａ、Ｘ１ｂは常開型のリレー接点であり、制御接点Ｘ３ａ、Ｘ３ｂは常閉型のリレー接点である。
【００２８】
制御部は、切替部の制御接点Ｘ１ａ、Ｘ２ａ、Ｘ３ａ、Ｘ３ｂを駆動制御する回路であり、電源端子Ｔｒ、Ｔｓから供給された交流電源が、ダイオードブリッジＤＢで全波整流されて供給される。
選択スイッチＳＷ１が押下された場合には、リレー回路Ｘ１の制御コイルＲｘ１に電流が流れて、制御接点Ｘ１ａ〜Ｘ１ｃが閉成されるとともに、リレー回路Ｘ２の制御コイルＲｘ２に電流が流れなくなり、制御接点Ｘ２ａ〜Ｘ２ｃが開成される。このため、選択スイッチＳＷ１が復帰した後も制御コイルＲｘ１には電流が流れ続け、制御コイルＲｘ２には電流が流れない。
【００２９】
同様にして、選択スイッチＳＷ２が押下された場合には、リレー回路Ｘ２の制御コイルＲｘ２に電流が流れて、制御接点Ｘ２ａ〜Ｘ２ｃが閉成されるとともに、リレー回路Ｘ１の制御コイルＲｘ１に電流が流れなくなり、制御接点Ｘ１ａ〜Ｘ１ｃが開成される。このため、選択スイッチＳＷ２が復帰した後も制御コイルＲｘ２には電流が流れ続け、制御コイルＲｘ１には電流が流れない。
【００３０】
また、リレー回路Ｘ３の制御コイルＲｘ３は、選択スイッチＳＷ１又はＳＷ２が押下されると電流が流れなくなり、制御接点Ｘ３ａ、Ｘ３ｂが閉成され、選択スイッチＳＷ１、ＳＷ２が復帰すると、再び電流が流れて、制御接点Ｘ３ａ、Ｘ３ｂは開成される。
ここで、制御コイルＲｘ１、Ｒｘ２には、それぞれコンデンサＣ１、Ｃ２が、並列に接続されているが、制御コイルＲｘ３には接続されていない。この様な容量性インダクタンスを制御コイルＲｘ１、Ｒｘ２に並列接続することにより、これらの制御コイルを流れる電流の変化（立上がり又は立下がり）が遅れ、制御接点Ｘ１ａ、Ｘ２ａの動作を、制御接点Ｘ３ａ、Ｘ３ｂの動作よりも遅らせることができる。
【００３１】
図３は、図１の回路における主な信号のタイミングチャートを示した図である。切替スイッチＳＷ１、ＳＷ２が押下されると、制御コイルＲｘ３には電流が流れなくなり、その後、制御コイルＲｘ１、Ｒｘ２の電流が緩やかに変化する（立下がり、或は、立ち上がる）。そして、切替スイッチＳＷ１、ＳＷ２が復帰すれば、制御コイルＲｘ３には再び電流が流れる様になる。
【００３２】
従って、切替スイッチＳＷ１、ＳＷ２の押下されている期間中は、端子Ｔａ１、端子Ｔｂ１がともに端子Ｔｃ１に接続されているが、切替スイッチの復帰後は、切替スイッチＳＷ１の操作後であれば、端子Ｔａ１のみが端子Ｔｃ１に接続され、切替スイッチＳＷ２を操作後であれば、端子Ｔｂ１のみが端子Ｔｃ１に接続される。
【００３３】
この様にして、２つの制御接点Ｘ１ａ、Ｘ２ａのいずれか一方をオンからオフへ変化させるとともに、他方をオフからオンへ変化させる場合に、並列に接続された制御接点Ｘ３ａ、Ｘ３ｂがオンとなる期間を設けることにより、出力端子Ｔｃ１が、切替動作により一時的に断線状態となるのを防止することができる。
図４及び５は、請求項４に記載した本発明による水位監視システムを説明するための図である。図４は、図１８に示した検出器切替装置３１、３２の外観構成の一例を示した図である。この検出器切替装置は、図２に示した検出器切替装置に移報信号出力端子Ｔｏ１、Ｔｏ２をさらに備えて構成される。
【００３４】
移報信号出力端子Ｔｏ１、Ｔｏ２は、制御盤４と接続され、制御盤４に対して移報信号を送出する端子である。この移報信号は、水位検出器の切替状態を示す信号である。制御盤４は、この移報信号に基づいて、表示手段により切替状態を表示させ、或は、ブサー等の報知手段により発報させる。
図５は、この検出器切替装置の回路の一構成例を示した図であり、図１に示した回路に、移報部をさらに備えて構成される。
【００３５】
移報部は、制御接点及びダイオードにより構成され、電源端子Ｔｒからの電源電圧を移報信号出力端子Ｔｏ１、Ｔｏ２へ出力する回路である。
移報信号出力端子Ｔｏ１は、ダイオード及び制御接点を直列に接続した１対の回路であって、ダイオードの整流方向が逆となる様に並列に接続された回路を介して、電源端子Ｔｒに接続される。
【００３６】
この回路は、制御コイルＲｘ１に電流が流れ、制御コイルＲｘ２に電流が流れていない場合には、制御接点Ｘ１ｄ、Ｘ２ｄが閉成され、制御接点Ｘ１ｅ、Ｘ２ｅが開成される。従って、移報信号出力端子Ｔｏ１からは、電源電圧をダイオードＤｄによって半波整流した信号が出力される。
一方、制御コイルＲｘ１に電流が流れず、制御コイルＲｘ１に電流が流れている場合には、制御接点Ｘ１ｄ、Ｘ２ｄが開成され、制御接点Ｘ１ｅ、Ｘ２ｅが閉成される。従って、移報信号出力端子Ｔｏ１からは、電源電圧をダイオードＤｅによって半波整流した信号が出力される。
【００３７】
移報出力端子Ｔｏ２は、制御接点Ｘ３ｃを介して、電源端子Ｔｒに接続される。この制御端子Ｘ３ｃは、制御コイルＲｘ３に電流が流れると開成されるが、制御コイルＲｘ３に電流が流れなければ閉成されて、移報出力端子Ｔｏ２からは、交流電源が出力される。
従って、制御盤４は、移報出力端子Ｔｏ１より、水槽１０Ａ側、１０Ｂ側の接続切替状態に応じて、方向の異なる直流電圧信号を受信し、また、切替スイッチＳＷ１、ＳＷ２の押下中は、移報出力端子Ｔｏ２から交流電圧信号を受信することにより、検知器切替装置３１の切替状態を把握することができる。
【００３８】
図６及び７は、請求項１に記載した本発明による水位監視システムを他の実施例を用いてさらに説明するための図である。図６は、図１８に示した検出器切替装置の外観構成の一例を示した図である。この検出切替装置３１は、切替装置本体３１０と、複数のリモコンリレーＲＣ１１〜ＲＣ１４、ＲＣ２１〜ＲＣ２４とにより構成される。
【００３９】
この切替装置本体３１０には、リモコンリレーＲＣ１１〜ＲＣ１４、ＲＣ２１〜ＲＣ２４を制御するための制御端子Ｔｙ１〜Ｔｙ３が備えられている。端子Ｔｙ１はコモン端子であり、交流電源を介して、全てのリモコンリレーの青色の入力端子Ｂに接続されている。また、端子Ｔｙ２は水位検出器１１Ａを切り替え制御するための制御端子であり、リモコンリレーＲＣ１１〜１４の赤色の入力端子Ｒに接続され、端子Ｔｙ３は水位検出器１１Ｂを切り替え制御するための端子であり、リモコンリレーＲＣ２１〜２４の赤色の入力端子Ｒに接続されている。
【００４０】
リモコンリレーＲＣ１１〜ＲＣ１４、ＲＣ２１〜ＲＣ２４は、赤色の入力端子Ｒから青色の入力端子Ｂへ電流が流れると、その後は端子Ｌｘ、Ｌｙ間が接続状態（オン状態）となり、逆向きに電流がながれると、その後は端子Ｌｘ、Ｌｙ間が非接続状態（オフ状態）となるリレー回路である。
リモコンリレーＲＣ１１〜ＲＣ１４の端子Ｌｘは、水位検出器１１Ａの出力端子に接続され、リモコンリレーＲＣ２１〜ＲＣ２４の端子Ｌｘは、水位検出器１１Ｂの出力端子に接続されており、全てのリモコンリレーのＬｙ端子は、制御盤４の検出端子に接続されている。
【００４１】
従って、切替装置本体３１０の端子Ｔｙ１、Ｔｙ２間に流れる電流の方向によって、リモコンリレーＲＣ１１〜Ｒ１４がオン、オフされ、水位検出器１１Ａの出力端子が、制御盤４の検出端子へ接続され、或は、切り離される。また、端子Ｔｙ１、Ｔｙ３間に流れる電流の方向によって、リモコンリレーＲＣ２１〜Ｒ２４がオン、オフされ、水位検出器１１Ａの出力端子が、制御盤４の検出端子へ接続され、或は、切り離される。
【００４２】
図７は、切替装置本体３１０の回路の一構成例を示した図であり、切替部と、制御部とにより構成される。
切替部は、端子Ｔｙ２、Ｔｙ３のそれぞれを、ダイオードと、切替スイッチ又は制御接点とを直列に接続した１対の回路であって、ダイオードの整流方向が逆となる様に並列に接続した回路を介して、コモン端子Ｔｙ１に接続する構成とされる。
【００４３】
切替スイッチＳＷ１の押下により、リモコンリレーＲＣ１１〜ＲＣ１４がオン状態となり、制御接点Ｘ２の閉成により、オフ状態となる。また、切替スイッチＳＷ２の押下により、リモコンリレーＲＣ２１〜ＲＣ２４がオン状態となり、制御接点Ｘ２の閉成により、オフ状態となる。
制御部は、切替スイッチＳＷ１、ＳＷ２の押下操作に基づいて、切替部の制御接点Ｘ１、Ｘ２を制御する回路である。
【００４４】
切替スイッチＳＷ１が押下されると、フォトカプラＰＣ１が作動して、トランジスタＴｒ１を導通させる。このため、制御コイルＲｘ１に電流が流れて、制御接点Ｘ１が閉じる。即ち、スイッチＳＷ１の押下により、リモコンリレーＲＣ１１〜ＲＣ１４がオンされ、制御接点Ｘ１の閉成により、リモコンリレーＲＣ２１〜ＲＣ２４がオフされて、水位検出器１１Ａ側への切り替えが行われる。また、切替スイッチＳＷ１の押下により、制御コイルＲｘ３に電流が流れ、制御接Ｘ３が閉成するため、切替スイッチＳＷ２が押下されるまで、発光ダイオードＬＥＤ１が点灯する。
【００４５】
一方、切替スイッチＳＷ２が押下されると、フォトカプラＰＣ２が作動して、トランジスタＴｒ２を導通させる。このため、制御コイルＲｘ２に電流が流れて、制御接点Ｘ２が閉じる。即ち、スイッチＳＷ２の押下により、リモコンリレーＲＣ２１〜ＲＣ２４がオンされ、制御接点Ｘ２の閉成により、リモコンリレーＲＣ１１〜ＲＣ１４がオフされて、水位検出器１０Ｂ側への切り替えが行われる。また、切替スイッチＳＷ２の押下により、制御コイルＲｘ４に電流が流れ、制御接Ｘ４が閉成するため、切替スイッチＳＷ１が押下されるまで、発光ダイオードＬＥＤ２が点灯する。
【００４６】
この様にして、切替スイッチＳＷ１、ＳＷ２の押下により、リモコンリレーＲＣ１１〜ＲＣ１４、ＲＣ２１〜２４をオン、オフ制御して、水位検出器１１Ａ側、１１Ｂ側へ切り替えるとともに、表示手段ＬＥＤ１、ＬＥＤ２に切替状態を表示することができる。なお、オン制御は、切替部の切替スイッチＳＷ１、ＳＷ２により直接行われるが、オフ制御は、リレー接点Ｘ１、Ｘ２を駆動して行われるため、オフ動作は、オン動作よりも遅れて行われることになる。
【００４７】
図８及び９は、請求項１、３及び５に記載した本発明による水位監視システムを説明するための図である。図８は、図１８に示した検出器切替装置３１、３２の外観構成の一例を示した図である。この検出切替装置は、切替信号入力端子Ｔｃｃを備えて構成される。この切替信号入力端子Ｔｃｃには、制御盤４が接続され、水位検出器を切替制御するための切替制御信号が入力される。
【００４８】
図９は、この検出器切替装置３１の回路の一構成例を示した図であり、信号受信部と、切替部と、制御部により構成される。
信号受信部は、制御盤４からの切替制御信号を受信する回路であり、ダイオードと２つのフォトカプラとを直列に接続した１対の回路であって、ダイオードの整流方向が逆となる様に並列に接続した回路により構成される。切替信号入力端子Ｔｃｃには、切替信号として、直流電圧が印加された場合、この電圧の正負によって、ダイオードＤ１又はＤ２のいずれか一方が順バイアスとなり、他方が逆バイアスとなる。
【００４９】
ダイオードＤ１が順バイアスとなり電流が流れた場合には、フォトカプラＰＣ１、ＰＣ３が作動する一方、ダイオードＤ２が順バイアスとなり電流が流れた場合には、フォトカプラＰＣ２、ＰＣ４が作動する。
切替部は、入力端子Ｔａ１が、制御接点Ｘ１ａを介して、出力端子Ｔｃ１に接続されるとともに、入力端子Ｔｂ１が、制御接点Ｘ２ａを介して、出力端子Ｔｃ１に接続されて構成される。
【００５０】
制御部は、信号受信部の受信結果、即ち、フォトカプラＰＣ１〜ＰＣ４の作動に基づいて、切替部の制御接点Ｘ１ａ、Ｘ２ａを制御する回路である。この制御部では、パルスリレー回路の制御接点Ｘ１ｐ〜Ｘ４ｐを使用している。このパルスリレー回路は、対応する制御コイルＲｘ１〜Ｒｘ４に電流が流れ始めてから所定の遅延時間が経過した後に、一定の期間だけ作動する制御接点であり、遅延回路（タイマー回路）と、いわゆるワンショットリレーとを組み合わせて構成することができる回路である。なお、これらの制御接点Ｘ１ｐ〜Ｘ４ｐは、いずれも常閉型の接点である。
【００５１】
切替制御信号によりフォトカプラＰＣ１が作動すると、制御コイルＲｘ１に電流がながれ、制御接点Ｘ１ａ、Ｘ１ｂが閉成される。そして、所定の遅延時間が経過すれば、制御接点Ｘ１ｐが所定期間だけ開成される。
制御接点Ｘ１ｂの閉成により、フォトカプラＰＣ１が停止した後も、制御コイルＲｘ１には電流がながれ続け、制御接点Ｘ１ａは閉成の状態を維持する。また、制御接点Ｘ１ｐの一時的な開成により、制御コイルＲｘ２には電流が流れなくなり、制御接点Ｘ２ａ、Ｘ２ｂが開成される。このため、所定の待機時間が経過後は、制御接点Ｘ２ａが開成の状態を維持する。
【００５２】
フォトカプラＰＣ１が作動する際には、同時に、フォトカプラＰＣ３も作動し、制御コイルＲｘ３に電流がながれ、制御接点Ｘ３が閉成されるとともに、発光ダイオードＬＥＤ１が点灯する。その後、所定の遅延時間が経過すれば、制御接点Ｘ３ｐが所定期間だけ開成される。
制御接点Ｘ３の閉成により、フォトカプラＰＣ３が停止した後も、制御コイルＲｘ３には電流がながれ続け、ＬＥＤ１は点灯状態に維持される。また、制御接点Ｘ３ｐの一時的な開成により、制御コイルＲｘ４には電流が流れなくなり、制御接点Ｘ４が開成されるため、それ以降、発光ダイオードＬＥＤ２は消灯の状態に維持される。
【００５３】
全く同様にして、切替制御信号によりフォトカプラＰＣ２、ＰＣ４が作動すると、制御端子Ｘ２ａが閉成されるとともに、発光ダイオードＬＥＤ２が点灯され、さらに、所定の遅延時間が経過した後に、制御端子Ｘ１ａが開成されるとともに、発光ダイオードＬＥＤ１が消灯される。
この様にして、２つの制御接点Ｘ１ａ、Ｘ２ａのいずれか一方をオンからオフへ変化させるとともに、他方をオフからオンへ変化させる場合に、両方の制御接点がオンとなる期間を確保することができるため、出力端子Ｔｃ１が、切替動作により断線状態となるのを防止することができる。
【００５４】
図１０及び１１は、請求項６に記載した本発明による水位監視システムを説明するための図である。図１０は、図１８に示した検出器切替装置３１、３２の外観構成の一例を示した図である。この検出切替装置は、図８に示した検出器切替装置に切替スイッチＳＷ１、ＳＷ２と、選択スイッチＳＷ３とを備えて構成される。この選択スイッチＳＷ３は、水位検出器１１Ａ、１１Ｂの切替制御を、切換スイッチＳＷ１、ＳＷ２により手動制御するのか、制御盤４からの切替制御信号により遠隔制御するのかを選択するためのスイッチである。
【００５５】
図１１は、この検出器切替装置の回路の一構成例を示した図であり、信号受信部と、切替部と、制御部とにより構成される。信号受信部、切替部は、図９に示した信号受信部、切替部と同一の回路である。制御部は、選択スイッチＳＷ３により遠隔操作と手動操作とを選択し、いずれか一方の操作に基づいて、切替部の制御接点Ｘ１ａ、Ｘ２ａを制御する回路である。
【００５６】
まず、連動スイッチとして構成された選択スイッチＳＷ３をａ側（遠隔操作側）に切り替えた場合について説明する。切替制御信号によりフォトカプラＰＣ１、ＰＣ３が作動すると、制御コイルＲｙ１、Ｒｙ３に電流が流れる。これにより、制御接点Ｙ１ｂ、Ｙ３ｂが閉成されて、制御コイルＲｙ１、Ｒｙ３には継続して電流が流れ始める。また、遅延時間が経過した後の一定期間だけ、パルスリレー回路の制御接点Ｙ１ｐ、Ｙ３ｐが開成され、制御接点Ｙ２ｂ、Ｙ４ｂを開成させるため、その後、制御コイルＲｙ２、Ｒｙ４には電流が流れなくなる。
【００５７】
ここで、制御コイルＲｙ１、Ｒｙ３に電流が流れている場合には、ダイオードを介して並列に接続された制御コイルＲｘ１、Ｒｘ３へも電流が流れるので、切替部の制御接点Ｘ１ａが閉成され、ＬＥＤ１が点灯する。一方、制御コイルＲｙ２、Ｒｙ４に電流が流れていない場合には、ダイオードを介して並列に接続された制御コイルＲｘ２、Ｒｘ４へも電流が流れない。このため、遅延時間が経過した後に、切替部の制御接点Ｘ２ａが開成され、ＬＥＤ２が消灯する。
【００５８】
同様にして、切替制御信号によりフォトカプラＰＣ２、ＰＣ４が作動すると、制御コイルＲｙ２、Ｒｙ４には継続して電流がながれ、制御コイルＲｙ１、Ｒｙ３には電流がながれなくなる。このため、制御コイルＲｘ２、Ｒｘ４へ電流が流れるので、切替部の制御接点Ｘ２ａが閉成されるとともに、ＬＥＤ２が点灯され、さらに、遅延時間が経過した後に、Ｘ１ａを開成させるとともに、ＬＥＤ１を消灯させる。
【００５９】
即ち、選択スイッチＳＷ３をａ側に切り替えることによって、切替制御信号に基づいて、端子Ｔａ１を端子Ｔｃ１へ接続するとともに、ＬＥＤ１を点灯させ、或は、端子Ｔｂを端子Ｔｃ１へ接続するとともに、ＬＥＤ２を点灯させることができ、その切替時には、端子Ｔａ１、Ｔｂ１がともに端子Ｔｃ１に接続されている期間を確保することができる。
【００６０】
次に、連動スイッチとして構成された選択スイッチＳＷ３をｂ側（手動操作側）に切り替えた場合について説明する。この場合は、図９の制御部の回路において、フォトカプラＰＣ１、ＰＣ３を切替スイッチＳＷ１に置き換え、フォトカプラＰＣ２、ＰＣ４を切替スイッチＳＷ２に置き換えた回路となる。従って、切替スイッチＳＷ１の押下に基づいて、端子Ｔａ１を端子Ｔｃ１へ接続するとともに、ＬＥＤ１を点灯させる一方、切替スイッチＳＷ２の押下に基づいて、端子Ｔｂを端子Ｔｃ１へ接続するとともに、ＬＥＤ２を点灯させることができ、これらの切替時には、端子Ｔａ１、Ｔｂ１がともに端子Ｔｃ１に接続されている期間を確保することができる。
【００６１】
この様にして、選択スイッチＳＷ３により、切替制御信号又は切替スイッチＳＷ１、ＳＷ２のいずれか一方の指令系統を指定し、指定された指令系統のみに基づいて、同一の切替手順による切替制御を行うことができる。
図１２及び１３は、請求項７に記載した本発明による水位監視システムを説明するための図である。図１２は、図１８に示した検出器切替装置３１、３２の外観構成の一例を示した図である。この検出切替装置は、図１０に示した検出器切替装置が選択スイッチＳＷ３を備えることなく構成されている。
【００６２】
図１３は、この検出器切替装置３１の回路の一構成例を示した図であり、信号受信部と、切替部と、制御部とにより構成される。
信号受信部、切替部は、それぞれ図９及び図１１に示した信号受信部、切替部と同一の回路である。制御部は、切替スイッチＳＷ１、ＳＷ２の押下操作と、フォトカプラＰＣ１〜ＰＣ４の作動とに基づいて、より後に行われた切替指示が、その後は優先される後優先により切替部の制御接点Ｘ１ａ、Ｘ１ｂを制御する回路である。
【００６３】
即ち、切替スイッチＳＷ１は、フォトカプラＰＣ１に並列に接続されているため、フォトカプラＰＣ１又は切替スイッチＳＷ１のいずれか一方が導通すれば、制御コイルＲｘ１に電流が流れ、制御接点Ｘ１ｂの閉成により、その後、制御コイルＲｘ１には電流が流れ続ける。一方、パルスリレーの制御接点Ｘ１ｐの一時的な開成により、制御コイルＲｘ１には電流が流れなくなる。切替スイッチＳＷ２〜ＳＷ４又はフォトカプラＰＣ２〜ＰＣ４が導通した場合も同様である。
【００６４】
従って、切替スイッチＳＷ１、ＳＷ２による手動の切替指令と、切替制御信号による遠隔からの切替指令をともに受け付け、後優先により、端子Ｔａ１、Ｔｂ１の切り換えを行うとともに、切替表示手段ＬＥＤ、ＬＥＤ２を点灯、消灯させことができる。
図１４から図１７は、請求項８に記載した本発明による水位監視システムを説明するための図である。図１４は、図１８に示した検出器切替装置３１、３２の一構成例を示した図である。
【００６５】
端子Ｔｒ、Ｔｓは、交流電源に切替制御信号が重畳された多重伝送信号が入力される。この様な多重伝送信号として、例えば、切替制御についての情報をパルス幅により表現し、この様なパルス列により構成される交流信号を用いることができる。
信号分離回路ＳＲは、多重伝送信号を電源成分と信号成分とに分離するとともに、移報信号を多重化して制御盤４へ送出する。分離された信号成分は、フォトカプラＰＣ１を介して、ＣＰＵの入力ポートＰ５へ入力される一方、ＣＰＵの出力ポートＰ６から出力された移報信号は、フォトカプラＰＣ２を介して信号分離回路ＳＲへ入力され、制御盤４へ送出される。分離された交流電源は、電源回路ＤＣにおいて整流され、さらに平滑化、安定化されて制御部へ供給される。
【００６６】
ＣＰＵは、切替制御信号及び切替スイッチＳＷ１、ＳＷ２の操作に基づいて、出力ポートＰ７〜Ｐ１０からパルス信号を出力し、ラッチングリレーＸ１、Ｘ２をセット、リセットする。ラッチングリレーＸ１、Ｘ２は、セット端子Ｓと、リセット端子Ｒを備え構成され、ラッチングリレーＸ１は、セット端子Ｓにパルス信号を入力すると、制御接点Ｘ１ａ、Ｘ１ｒが閉成され、リセット端子Ｒにパルス信号が入力されるまで、その状態を維持するリレー回路である。同様にして、ラッチングリレーＸ２は、セット端子Ｓにパルス信号を入力すると、制御接点Ｘ２ａ、Ｘ２ｒが閉成され、リセット端子Ｒにパルス信号が入力されるまで、その状態を維持する。
【００６７】
また、ＬＥＤ１、ＬＥＤ２は、切替表示用の発光ダイオードであり、ラッチングリレーＸ１、Ｘ２のセットにより、制御接点Ｘ１ｒ、Ｘ２ｒが閉成されると点灯され、リセットにより制御接点Ｘ１ｒ、Ｘ２ｒが開成されると消灯する。また、これらの点灯、消灯の状態は、ＣＰＵの入力ポートＰ１、Ｐ２に入力されている。
【００６８】
図１５の１５００〜１５１１は、このＣＰＵの基本動作の一例を示したフローチャートである。電源が投入されると、まず初期化のための処理が行われ、安定動作が可能となった後に次の処理へ移行する（１５００）。なお、この初期化処理には、入出力ポートの初期化も含まれている。
初期化処理が終了すると、入力ポートＰ１〜Ｐ５は常時、入力待状態となっており、まず、入力ポートＰ１、Ｐ２をチェックし、この結果により、ラッチングリレーＸ１、Ｘ２のオン、オフを判別する（１５０１）。両者がともにオン状態、或は、ともにオフ状態であれば（１５０２）、故障が発生したと判断して、出力ポートＰ６へ故障信号（パルス信号）を出力する（１５０３）。この故障信号によりフォトカプラＰＣ２が作動し、信号分離回路ＳＲから制御盤４へ故障を示す移報信号が多重伝送される。
【００６９】
次に、入力ポートＰ５のチェックを行って、切替制御信号の有無を判別する（１５０４）。切替制御信号を受信した場合、その内容が、水槽１０Ａ側（端子Ｔａ１側）への切替指示であれば（１５０５）、Ｔａ１への切替動作を行う（１５０６）。一方、水槽１０Ｂ側（端子Ｔｂ１側）への切替指示であれば（１５０７）、端子Ｔｂ１への切替動作を行う（１５０８）。
【００７０】
一方、切替制御信号を受信していない場合には、入力ポートＰ３、Ｐ４をチェックして、切替スイッチＳＷ１、ＳＷ２の押下の有無を判別する（１５０９）。いずれの切替スイッチも押下されていない場合には、再び入力ポートＰ５のチェックを行う（１５０４）。また、切替スイッチＳＷ１、ＳＷ２が、ともに押下されている場合には、押下操作を無効とし（１５１０）、再び入力ポートＰ５のチェックを行う（１５０４）。
【００７１】
一方の切替スイッチのみが押下された場合であって、それが切替スイッチＳＷ１であれば、端子Ｔａ１への切替動作を行い、切替スイッチＳＷ２であれば、端子Ｔａ２への切替動作を行う（１５１１）。
図１６の１６００〜１６０２は、図１５におけるステップ１５０６（端子Ｔａ１への切替動作）の一例を示したフローチャートである。まず、出力ポートＰ７からパルス信号を出力し、ラッチングリレーＸ１のセット端子Ｓに入力する。このパルス信号により、ラッチングリレーＸ１はオンされて、制御接点Ｘ１ａを閉成する（１６００）。そして、制御接点Ｘ１ａ、Ｘ２ａがともに閉成された状態で、所定の遅延時間だけ待機した後（１６０１）、出力ポートＰ１０からパルス信号を出力し、ラッチングリレーＸ２のリセット端子Ｒに入力する。このパルス信号により、ラッチングリレーＸ２はオフされて、制御接点Ｘ２ａを開成する（１６０２）。
【００７２】
図１７の１７００〜１７０２は、図１５におけるステップ１５０８（端子Ｔｂ１への切替動作）の一例を示したフローチャートである。まず、出力ポートＰ９からパルス信号を出力して、ラッチングリレーＸ２のセット端子Ｓへ入力する。このパルス信号により、ラッチングリレーＸ２はオンされて、制御接点Ｘ２ａを閉成する（１７００）。そして、制御接点Ｘ１ａ、Ｘ２ａがともに閉成された状態で、所定の遅延時間だけ待機した後（１７０１）、出力ポートＰ８からパルス信号を出力し、ラッチングリレーＸ１のリセット端子Ｒに入力する。このパルス信号により、ラッチングリレーＸ１はオフされて、制御接点Ｘ１ａを開成する（１７０２）。
【００７３】
この様な構成とすることにより、制御盤４及び検出器切替装置３１間の２線式信号線により、交流電源及び切替制御信号を伝送し、制御盤４から切替制御を行うことができる。
【００７４】
【発明の効果】
請求項１に記載した本発明による水位監視システムは、検出器切替装置が、一方の水位検出器から他方の水位検出器へ切り替えを行う際、まず、他方の水位検出器を接続し、その後、一方の検出器を切り離す。
このため、水位検出器の切替時に断線状態が発生するのを防止することができ、水位監視装置が、切替時の断線による高インピーダンス状態を、水位検出器の検出結果と誤って判断することがなくなる。
【００７５】
請求項２に記載した本発明による水位監視システムは、検出器切替装置が、切替接続用の第一、第二の制御接点だけでなく、断線防止用の第三、第四を制御接点を備え、断線防止用の制御接点を閉成した状態の下で、切替接続用の制御接点の開動作及び閉動作を行う。このため、水位検出器の切替時に断線状態が発生するのを防止することができる。
【００７６】
請求項３に記載した本発明による水位監視システムは、検出器切替装置が、一方の水位検出器から他方の水位検出器へ切り替える際、他方の水位検出器に対応した第二の制御接点を閉成した後、一方の水位検出器に対応した第一の制御接点を開動作させる。このため、水位検出器の切替時に断線状態が発生するのを防止することができる。
【００７７】
請求項４に記載した本発明による水位監視システムは、検出器切替装置が、移報信号を出力する移報信号出力端子を備え、その切替状態を遠隔装置において表示することができる。
このため、遠隔装置において切替状態を容易に確認することができ、給排水システムに不具合が発生した場合に、原因の特定が容易となる。また、切替作業の際の操作ミス（操作忘れや誤操作）を遠隔装置にて直ちに確認することができ、給排水システムに不具合が発生するのを未然に防止することができる。
【００７８】
請求項５に記載した本発明による水位監視システムは、検出器切替装置が、切替制御信号を入力するための切替信号入力端子を備え、検出器切替装置の切替動作を遠隔装置から制御することができる。
このため、水槽を切り替える際、作業者が検出器切替装置まで行き、切替スイッチを操作する必要がなく、作業性、安全性が向上する。また、給排水システムに不具合が生じた場合に、遠隔装置から直ちに切替制御を行うことにより、容易かつ迅速な対処が可能となる。
【００７９】
請求項６に記載した本発明による水位監視システムは、検出器切替装置が、切替スイッチ及び選択スイッチを備え、選択スイッチの操作により、切替制御信号による遠隔制御を停止させて、切替スイッチの手動操作によってのみ、切り替え可能とすることができる。このため、作業者が手動により切替作業を行っている場合に、誤って遠隔装置から切替操作されることがなくなるので、切替作業の作業性が向上する。
【００８０】
請求項７に記載した本発明による水位監視システムは、検出器切替装置が、切替スイッチの手動操作と、遠隔装置からの切替制御信号とに基づいて、後優先により切り替えを行う。
このため、切替作業を検出器切替装置においも、遠隔装置においても行うことができる。特に、手動操作又は遠隔操作とを択一的に選択する選択スイッチを備えないことにより、手動切替を行った作業者が、作業の終了後に、選択スイッチを遠隔操作側に戻すのを忘れ、遠隔操作が不能となる不具合の発生を防止すことができる。
【００８１】
請求項８に記載した本発明による水位監視システムは、検出器切替装置が、信号分離回路を備え、遠隔装置から送出された多重化信号を電源成分と信号成分に分離するため、２線式信号線を用いて、交流電源及び切替制御信号を遠隔装置から検出器切替装置へ伝送することができる。
このため、遠隔装置、検出器切替装置間の配線作業が簡便となる。また、接続切替装置が遠隔装置内に内蔵される場合には、遠隔装置を小型化することができる。さらに、配線箇所の減少により、作業時間の短縮だけでなく、システムの信頼性を向上させることができる。
【図面の簡単な説明】
【図１】請求項１及び２に記載した本発明による水位監視システムにおける検出器切替装置の回路の一構成例を示した図である。
【図２】請求項１及び２に記載した本発明による水位監視システムにおける検出器切替装置の外観構成の一例を示した図である。
【図３】図１の回路における主な信号のタイミングチャートを示した図である。
【図４】請求項４に記載した本発明による水位監視システムにおける検出器切替装置の外観構成の一例を示した図である。
【図５】請求項４に記載した本発明による水位監視システムにおける検出器切替装置の回路の一構成例を示した図である。
【図６】請求項１に記載した本発明による水位監視システムにおける検出器切替装置の外観構成の一例を示した図である。
【図７】請求項１に記載した本発明による水位監視システムにおける検出器切替装置の回路の一構成例を示した図である。
【図８】請求項１、３及び５に記載した本発明による水位監視システムにおける検出器切替装置の外観構成の一例を示した図である。
【図９】請求項１、３及び５に記載した本発明による水位監視システムにおける検出器切替装置の回路の一構成例を示した図である。
【図１０】請求項６に記載した本発明による水位監視システムにおける検出器切替装置の外観構成の一例を示した図である。
【図１１】請求項６に記載した本発明による水位監視システムにおける検出器切替装置の回路の一構成例を示した図である。
【図１２】請求項７に記載した本発明による水位監視システムにおける検出器切替装置の外観構成の一例を示した図である。
【図１３】請求項７に記載した本発明による水位監視システムにおける検出器切替装置の回路の一構成例を示した図である。
【図１４】請求項８に記載した本発明による水位監視システムにおける検出器切替装置の回路の一構成例を示した図でる。
【図１５】図１４に示したＣＰＵの基本動作の一例を示したフローチャートである。
【図１６】図１５におけるステップ１５０６（端子Ｔａ１への切替動作）の一例を示したフローチャートである。
【図１７】図１５におけるステップ１５０８（端子Ｔｂ１への切替動作）の一例を示したフローチャートである。
【図１８】本発明が適用される水槽切替式の給排水システムの一構成例を示した図である。
【図１９】図１８に示した水位検出器の一構成例を示した図である。
【図２０】図１８に示した水位検出器と、検出器切替装置と、制御盤との関係を示した図である。
【符号の説明】
１０Ａ、１０Ｂ・・・受水槽
１１Ａ、１１Ｂ・・・水位検出器
３１、３２    ・・・検出器切替装置
４            ・・・水位監視装置、遠隔装置
Ｄ０、Ｄ１、Ｄ２・・・水槽内の水位
Ｘ１ａ        ・・・第一の制御接点
Ｘ２ａ        ・・・第二の制御接点
Ｘ３ａ        ・・・第三の制御接点
Ｘ３ｂ        ・・・第四の制御接点
Ｔｏ１、Ｔｏ２・・・移報信号出力端子
Ｔｃｃ        ・・・切替信号入力端子
ＳＷ１、ＳＷ２・・・切替スイッチ
ＳＷ３        ・・・選択スイッチ
ＳＲ          ・・・信号分離回路
【図１】
0003656326.tif 000002
【図２】
0003656326.tif 000003
【図３】
0003656326.tif 000004
【図４】
0003656326.tif 000005
【図５】
0003656326.tif 000006
【図６】
0003656326.tif 000007
【図７】
0003656326.tif 000008
【図８】
0003656326.tif 000009
【図９】
0003656326.tif 000010
【図１０】
0003656326.tif 000011
【図１１】
0003656326.tif 000012
【図１２】
0003656326.tif 000013
【図１３】
0003656326.tif 000014
【図１４】
0003656326.tif 000015
【図１５】
0003656326.tif 000016
【図１６】
0003656326.tif 000017
【図１７】
0003656326.tif 000018
【図１８】
0003656326.tif 000019
【図１９】
0003656326.tif 000020
【図２０】
0003656326.tif 000021